(57)【要約】【課題】画像処理装置が、音響信号を出力する部品が実装された複数の電子基板によるアンプの共用と、電子基板各々の通電の個別制御による消費電力の低減とを両立できること。【解決手段】画像処理装置が、第１電子基板と通電切替部とを備える。第１電子基板は、人に操作される部品とその操作に対応した第１音響信号を出力する部品と前記第１音響信号及びそれ以外の第２音響信号を増幅するアンプとを含む第１部品群が実装された電子基板である。通電切替部は、当該画像処理装置の通電状態を、前記第１部品群の全てに対して電力が供給される第１通電状態と、前記第１部品群のうち、前記アンプに対して電力が供給され、その他の部品に対して電力が供給されない第２通電状態と、に切り替える。【選択図】図１
2011097315.tif 000002
【特許請求の範囲】
【請求項１】
画像データを処理する画像処理装置であって、
人に操作される部品と該操作に対応した第１音響信号を出力する部品と前記第１音響信号及びそれ以外の第２音響信号を増幅するアンプとを含む第１部品群が実装された第１電子基板と、
当該画像処理装置の通電状態を、前記第１部品群の全てに対して電力が供給される第１通電状態と、前記第１部品群のうち、前記アンプに対して電力が供給され、その他の部品に対して電力が供給されない第２通電状態と、に切り替える通電切替部と、
を備えることを特徴とする画像処理装置。
【請求項２】
前記第１部品群は、前記操作に対応した情報を表示する部品を含む
請求項１に記載の画像処理装置。
【請求項３】
画像データの処理に関する前記第２音響信号を前記アンプへ出力する部品を含む第２部品群が実装された第２電子基板を備え、
前記通電切替部は、前記第１部品群の全て及び前記第２部品群に対して電力が供給される前記第１通電状態と、前記アンプ及び前記第２部品群に対して電力が供給され、前記第１部品群のうちの前記アンプ以外の部品に対して電力が供給されない前記第２通電状態とを切り替える
請求項１又は請求項２に記載の画像処理装置。
【請求項４】
前記通電切替部は、前記第１通電状態と、前記第２通電状態と、前記第２部品群に対して電力が供給され、前記第１部品群の全てに対して電力が供給されない第３の通電状態とを切り替える
請求項３に記載の画像処理装置。
【請求項５】
前記第２音響信号は、外部のファクシミリ装置からの着信を通知する音響信号又は画像データの処理のエラーを通知する音響信号を含む
請求項１から請求項４のいずれかに記載の画像処理装置。
【発明の詳細な説明】
【技術分野】
【０００１】
本発明は、画像処理装置に関し、特に、音響信号を出力する部品が実装された複数の電子基板によるアンプの共用と、一部の電子基板に対する通電の制御による消費電力の低減とを両立できる画像処理装置に関するものである。
【背景技術】
【０００２】
昨今、プリンタ、複写機、ファクシミリ装置、又はそれらの装置の機能を併せ持つ複合機等の画像処理装置は、省電力化、使いやすさ及びコストダウンについて、益々高い要求が課されている。そして、昨今の画像処理装置は、使いやすさの向上のため、液晶ディスプレイや有機エレクトロルミネッセンスのディスプレイ等のパネルディスプレイを備えることが多い。そのような画像処理装置は、操作キーやタッチパネル等の操作部品への操作に対応した画像やメッセージ等のガイダンス情報を、パネルディスプレイにより出力する。
【０００３】
また、昨今の画像処理装置は、ガイダンス情報の音声及びファクシミリ装置からの着信を通知するメロディ等の音響を出力する機能を備える場合もある。例えば、特許文献１には、音声出力によって操作のガイダンスを行う画像形成装置が示されている。以下、音声ガイダンスの信号又はメロディの信号を出力するＡＳＩＣ、或いはファクシミリ装置においてデータ通信中の音響信号を出力するモデム等、音響信号を出力する部品を音源部品と称する。
【０００４】
また、昨今の画像処理装置は、機能に応じて区分された複数の電子基板を備え、状況に応じてそれら電子基板各々に対する電力供給を個別に停止することにより、消費電力を抑制する。例えば、特許文献２には、システム本体と液晶ディスプレイを有するパネルサブシステムとを備え、節電モードの際、パネルサブシステムに対する電力供給を停止する複合機が示されている。
【０００５】
さらに、特許文献３には、音源部品が実装された複数の電子基板が、音響出力部品（アンプ及びスピーカ）を共用する画像形成装置が示されている。音源部品が実装された複数の電子基板がアンプを共用する場合、そのアンプが実装された電子基板に対する通電が停止されると、他の電子基板の音源部品の出力に基づく音響を出力できないという不都合が生じる。そのため、音響出力用のアンプは、１つ以上の音源部品が通電中である限り、電力供給が継続される必要がある。
【先行技術文献】
【特許文献】
【０００６】
【特許文献１】特開２００３−１６３７７６号公報
【特許文献２】特開平１１−７３４３号公報
【特許文献３】特開平１１−２３７８１１号公報
【発明の概要】
【発明が解決しようとする課題】
【０００７】
ところで、マンマシンインターフェースを構成する操作部品及びパネルディスプレイが実装された電子基板は、音声や画像によるガイダンス機能を実現するため、高機能な制御回路も実装されている。このようなマンマシンインターフェース用の電子基板は、多くの機能を有するため、不良が発生しやすい。また、複数の電子基板が組み合わされた後に、一部の電子基板の不良が発見された場合、画像処理装置の生産効率が大きく低下する。従って、操作部品が実装された電子基板は、それ単独で、音響出力機能を含む多くの機能の良否チェックが可能な構成を有することが好ましい。即ち、生産効率の観点によれば、音響出力用のアンプは、操作部品が実装された電子基板に実装されることが望ましい。
【０００８】
一方、省電力化のためには、操作部品が操作されない状態が所定時間継続した場合、操作部品が実装された電子基板に対する通電は、停止されることが好ましい。しかしながら、複数の音源部品で共用されるアンプが、操作部品とともに同じ電子基板に実装された場合、無操作状態の継続に応じてその電子基板に対する通電を停止することができない。なぜなら、他の電子基板の音源部品の出力に基づく音響を出力できないという不都合が生じるからである。
【０００９】
以上に示したように、複数の音源部品で共用されるアンプが、操作部品とともに同じ電子基板に実装されることは、生産効率の向上のためには好ましいが、消費電力の低減のためには都合が悪いという問題点があった。
【００１０】
本発明は、音響信号を出力する部品が実装された複数の電子基板によるアンプの共用と、電子基板各々の通電の個別制御による消費電力の低減とを両立できる画像処理装置を提供することを目的とする。
【課題を解決するための手段】
【００１１】
上記目的を達成するために、本発明に係る画像処理装置は、画像データを処理する装置であり、以下に示される各構成要素を備える。第１の構成要素は、人に操作される部品とその操作に対応した第１音響信号を出力する部品と前記第１音響信号及びそれ以外の第２音響信号を増幅するアンプとを含む第１部品群が実装された第１電子基板である。第２の構成要素は、当該画像処理装置の通電状態を、前記第１部品群の全てに対して電力が供給される第１通電状態と、前記第１部品群のうち、前記アンプに対して電力が供給され、その他の部品に対して電力が供給されない第２通電状態と、に切り替える通電切替部である。
【００１２】
また、本発明に係る画像処理装置において、前記第１部品群が、前記操作に対応した情報を表示する部品を含むことが考えられる。さらに、本発明に係る画像処理装置が、画像データの処理に関する前記第２音響信号を前記アンプへ出力する部品を含む第２部品群が実装された第２電子基板を備えることも考えられる。この場合、前記通電切替部は、前記第１部品群の全て及び前記第２部品群に対して電力が供給される前記第１通電状態と、前記アンプ及び前記第２部品群に対して電力が供給され、前記第１部品群のうちの前記アンプ以外の部品に対して電力が供給されない前記第２通電状態とを切り替える。
【００１３】
また、前記通電切替部が、前記第１通電状態と、前記第２通電状態と、前記第２部品群に対して電力が供給され、前記第１部品群の全てに対して電力が供給されない第３の通電状態とを切り替えることも考えられる。また、前記第２音響信号は、例えば、外部のファクシミリ装置からの着信を通知する音響信号又は画像データの処理のエラーを通知する音響信号を含む。
【発明の効果】
【００１４】
本発明によれば、音響出力用のアンプが、音響信号を出力する部品が実装された複数の電子基板により共用されるため、装置の組立工数及びコストを低減できる。また、前記第１電子基板は、それ単独で、人の操作に対応した音響を出力する機能の良否チェックが可能な構成を有している。そのため、本発明に係る画像処理装置は、生産効率が高い。さらに、前記第１電子基板において、前記アンプに対する電力供給系統とそれ以外の部品に対する電力供給系統とが独立している。即ち、音響出力が可能な状態で、前記第１電子基板における前記アンプ以外の部品に対する通電を制御することができる。その結果、本発明に係る画像処理装置によれば、前記第１電子基板におけるアンプ以外の部品に対する通電の制御により、消費電力の低減が可能となる。
【図面の簡単な説明】
【００１５】
【図１】本発明の第１実施形態に係る画像処理装置１のブロック図。
【図２】本発明の第２実施形態に係る画像処理装置２のブロック図。
【発明を実施するための形態】
【００１６】
以下添付図面を参照しながら、本発明の実施の形態について説明する。なお、以下の実施の形態は、本発明を具体化した一例であって、本発明の技術的範囲を限定するものではない。
【００１７】
（第１実施形態）まず、図１に示されるブロック図を参照しつつ、本発明の第１施形態に係る画像処理装置１について説明する。画像処理装置１は、プリンタ、スキャナ、複写機及びファクシミリ装置として機能する複合機である。図１に示されるように、画像処理装置１は、ＭＭＩ基板１０、メイン基板２０、スキャナユニット３０、プリンタユニット４０、ＮＣＵ(Network Control Unit)基板５０、ＬＡＮインターフェース基板６０、第１電源７０、第２電源８０及び制御スイッチ７１〜７３を備えている。また、前記ＭＭＩ基板１０、前記メイン基板２０、前記スキャナユニット３０が備えるスキャナ制御基板３１及び前記プリンタユニット４０が備えるプリンタ制御基板４１が、バス１００により接続されている。
【００１８】
前記ＭＭＩ(Man Machine Interface)基板１０は、キーマトリクス１１、パネルディスプレイ１２、発光ダイオード（ＬＥＤ）１３、ＭＭＩ制御回路１４、音響出力用のアンプ１５、ミュート制御用の切替スイッチ１６及びスピーカ１７等が実装された電子基板である。前記キーマトリクス１１は、人に操作される部品であり、複数の信号出力ライン各々に対し、複数の操作キーが電気的に接続された回路を備えている。前記ＭＭＩ制御回路１４は、前記キーマトリクス１１に対してキーマトリクススキャンを行う。キーマトリクススキャンは、前記キーマトリクス１１における前記信号出力ライン各々に対して信号を周期的に出力しつつ、信号出力ラインごとの操作キーのＯＮ／ＯＦＦ状態を検出する処理である。前記キーマトリクススキャンにより、前記ＭＭＩ制御回路１４は、操作キーに対する操作の状況を検知する。
【００１９】
また、前記ＭＭＩ制御回路１４は、前記キーマトリクス１１に対する操作に対応した表示情報の映像信号生成し、その映像信号を前記パネルディスプレイ１２に出力する。前記表示情報は、例えば、キー操作により選択された機能の情報、キー操作により入力された文字の情報及びキー操作により要求されたガイダンス情報等である。これにより、前記パネルディスプレイ１２は、画像及び文字列を含む情報を表示する。前記パネルディスプレイ１２は、例えば、液晶パネル及びバックライトからなる液晶ディスプレイ、又は有機エレクトロルミネッセンスのディスプレイである。
【００２０】
また、前記ＭＭＩ制御回路１４は、前記キーマトリクス１１に対する操作に対応した音響信号を生成し、その音響信号を前記アンプ１５に出力する。以下、前記ＭＭＩ制御回路１４から出力される音響信号のことを第１音響信号と称する。前記第１音響信号は、例えば、操作キーの操作音、キー操作により要求されたガイダンスの音声及びエラー通知のためのビープ音等である。前記ＭＭＩ制御回路１４は、前記第１音響信号を生成して前記アンプ１５へ出力する音響信号生成素子を備えている。この音響信号生成素子は、例えば、ＡＳＩＣ等の電子部品である。
【００２１】
前記アンプ１５は、音響信号を増幅し、増幅後の音響信号を前記スピーカ１７へ出力する。このアンプ１５には、前記第１音響信号に加え、前記メイン基板２０から出力される音響信号も入力される。以下、前記メイン基板２０から出力される音響信号のことを第２音響信号と称する。そして、前記アンプ１５及びこれに接続された前記スピーカ１７は、前記第１音響信号及び前記第２音響信号の各々に対応した音響を出力する。なお、前記キーマトリクス１１、前記パネルディスプレイ１２及び前記アンプ１５が、前記第１部品群の一例である。また、前記ＭＭＩ基板１０が、前記第１電子基板の一例である。
【００２２】
また、前記切替スイッチ１６は、前記ＭＭＩ制御回路１４及び前記ＣＰＵ２１から出力されるミュート信号のいずれか一方を選択して前記アンプ１５に対して出力する制御スイッチである。前記切替スイッチ１６に対する制御信号は、前記メイン基板２０に実装されたＣＰＵ２１から出力される。前記アンプ１５は、前記切替スイッチ１６を通じて前記ミュート信号が入力されると、前記スピーカ１７へ出力される音響信号のボリュームをゼロにする。
【００２３】
また、前記ＭＭＩ基板１０に実装された前記発光ダイオード１３は、前記ＭＭＩ基板１０の動作の状態を、その点灯の状態によって通知する発光部品である。また、前記ＭＭＩ基板１０には、人の操作によってＯＮとＯＦＦとが切り替わる操作スイッチである節電キー１８が設けられている。この節電キー１８の状態（ＯＮ又はＯＦＦ）は、前記メイン基板２０に実装されたＣＰＵ２１によって検知される。
【００２４】
前記ＭＭＩ基板１０は、前記キーマトリクス１１に対する操作に応じた音声や画像によるガイダンス機能を備えるため、多様なデータ処理機能を備えた前記ＭＭＩ制御回路１４が設けられている。さらに、前記ＭＭＩ基板１０には、音響出力用の前記アンプ１５及び前記スピーカ１７も実装されている。即ち、前記ＭＭＩ基板１０は、それ単独で、音響出力機能を含む多くの機能の良否チェックが可能な構成を有している。
【００２５】
前記スキャナユニット３０は、スキャナ制御基板３１、ＣＣＤ(Charge Coupled Device)ラインセンサ３２及びその他の各種のセンサを備えている。そのセンサは、例えば、原稿センサ３３及び原稿カバーセンサ３４等である。前記ＣＣＤラインセンサ３２は、原稿を走査することにより、その原稿の画像を１ライン分ずつ読み取るイメージセンサである。前記原稿センサ３３は、自動ドキュメントフィーダ（ＡＤＦ）に原稿がセットされたことを検出するセンサである。また、前記原稿カバーセンサ３４は、原稿台を開閉可能に設けられた原稿カバーが、原稿台を覆う閉状態であるか、原稿台を解放する開状態であるかを検出するセンサである。前記スキャナ制御基板３１は、前記原稿センサ３３及び前記原稿カバーセンサ３４の検出結果に基づいて、画像のスキャン処理の中断、エラーメッセージの通知等の制御も行う。なお、エラーメッセージの通知は、前記メイン基板２０及び前記ＭＭＩ基板１０を介して行われる。
【００２６】
前記スキャナユニット３０は、さらに、不図示の駆動機構を備えている。この駆動機構は、前記ＣＣＤラインセンサ３２を原稿に対して主走査方向に移動させる機構である。前記スキャナ制御基板３１は、前記駆動機構を制御することにより、原稿に対する前記ＣＣＤラインセンサ３２の走査を制御する。前記ＣＣＤラインセンサ３２により得られる画像データは、前記メイン基板２０へ伝送される。また、前記スキャナ制御基板３１は、前記原稿センサ３３及び前記原稿カバーセンサ３４の検出結果に基づいて、前記ＣＣＤラインセンサ３２の走査の開始や停止を制御する。
【００２７】
前記プリンタユニット４０は、不図示の画像転写装置、プリンタ制御基板４１、及び各種のセンサを備えている。そのセンサは、例えば、搬送路カバーセンサ４２，カセットセンサ４３及びジャムセンサ４４等である。前記画像転写装置は、カセットに収容されたシート材を搬送するローラ、そのシート材にトナー画像を転写する画像転写部、シート材にトナー画像を溶着させる定着装置等を備えている。前記プリンタ制御基板４１は、前記画像転写装置を制御するプリンタ制御回路が実装された電子基板である。
【００２８】
前記搬送路カバーセンサ４２は、シート材の搬送路のカバーの開閉状態を検出するセンサである。また、前記カセットセンサ４３は、シート材が収容されるカセットが正常にセットされているか否かを検出するセンサである。また、前記ジャムセンサ４４は、シート材の詰まりを検出するセンサである。そして、前記プリンタ制御基板４１は、前記搬送路カバーセンサ４２、前記カセットセンサ４３及び前記ジャムセンサ４４の検出結果に基づいて、プリント処理の中断、エラーメッセージの通知等の制御も行う。なお、エラーメッセージの通知は、前記メイン基板２０及び前記ＭＭＩ基板１０を介して行われる。
【００２９】
前記メイン基板２０は、ＣＰＵ(Central Processing Unit)２１、ＲＯＭ(Read Only Memory)２２、ＳＲＡＭ(Static Random Access Memory)２３、メモリコントローラ２４、ＳＤＲＡＭ(Synchronous Dynamic Random Access Memory)２５、コーデック２６、音響信号生成素子２７、モデム２８及び切替スイッチ２９等の部品が実装された電子基板である。前記ＣＰＵ２１は、前記ＲＯＭ２２に記録された制御プログラムを実行することにより、当該画像処理装置１の動作を制御する。前記メモリコントローラ２４は、前記ＣＰＵ２１による前記ＳＤＲＡＭ２５に対するアクセスを仲介するインターフェースである。前記ＳＲＡＭ２３は、前記ＣＰＵ２１により更新及び参照されるデータを記憶する。
【００３０】
前記モデム２８は、前記ＮＣＵ基板５０を通じて外部のファクシミリ装置へ送信するデータの送信信号を変調する処理及び前記ＮＣＵ基板５０基板５０により得られる受信信号を復調する処理を行う。さらに、前記モデム２８は、公衆回線を通じた外部のファクシミリ装置との通信中に、通信中であることを表す音響信号を出力する。以下、この音響信号のことを、回線の音響信号と称する。
【００３１】
また、前記ＮＣＵ基板５０は、公衆回線に接続され、外部のファクシミリ装置との間でやりとりされる発呼信号及びコマンドを送信及び受信することにより、発信及び着信の制御及びダイヤル制御を行う。前記ＣＰＵ２１は、外部のファクシミリ装置との間で、前記ＮＣＵ基板５０及び前記モデム２８を通じて、画像データの送信及び受信を行う。
【００３２】
ＬＡＮインターフェース基板６０は、前記ＣＰＵ２１と外部の計算機との間のネットワーク通信を制御する電子基板であり、一般にＮＩＣ(Network Interface Card)と称される。前記ＣＰＵ２１は、外部の計算機との間で、前記ＬＡＮインターフェース基板６０を通じて、画像データの送信及び受信を行う。
【００３３】
前記コーデック２６は、前記スキャナユニット３０、前記モデム２８及び前記ＬＡＮインターフェース基板６０  の各々により得られる画像データを圧縮して前記ＳＤＲＡＭ２５に記録する処理、及び圧縮された画像データを伸張する処理を行う。
【００３４】
前記音響信号生成素子２７は、前記ＭＭＩ基板１０において生成される前記第１音響信号以外の音響信号を生成し、その音響信号を前記アンプ１５へ出力する電子部品である。前記音響信号生成素子２７は、例えば、ＡＳＩＣ等により構成されている。この音響信号生成素子２７により生成される音響信号は、例えば、画像データの処理のエラーを通知する音響信号及び前記ＮＣＵ基板５０により他のファクシミリ装置からの着信を通知するメロディの音響信号等である。ここで、エラーを通知する音響信号は、例えば、前記プリンタユニット４０において画像データに基づくプリント処理のエラーを通知する音響信号、及び前記ＬＡＮインターフェース基板６０における画像データの受信処理のエラーを通知する音響信号等である。
【００３５】
前記切替スイッチ２９は、前記ＣＰＵ２１から出力される制御信号に応じて、前記音響信号生成素子２７から出力される音響信号及び前記モデム２８から出力される音響信号のうちのいずれか一方を選択するスイッチである。この切替スイッチ２９により選択された音響信号は、前記ＭＭＩ基板１０における前記アンプ１５へ出力される。即ち、前記音響信号生成素子２７から出力される音響信号及び前記モデム２８から出力される音響信号が、前記第２音響信号である。なお、前記メイン基板２０に実装された部品が、前記第２部品群の一例である。また、前記メイン基板２０が、前記第２電子基板の一例である。
【００３６】
以上に示したように、画像処理装置１は、音響出力用の前記アンプ１５が、音響信号を出力する部品が実装された前記ＭＭＩ基板１０及び前記メイン基板２０により共用されるため、装置の組立工数及びコストを低減できる。また、画像処理装置１は、機能に応じて区分された複数の電子基板１０、２０、３１、４１、５０、６０を備えている。そして、前記ＣＰＵ２１は、状況に応じてそれら電子基板各々に対する電力供給を個別に停止することによって省電力制御を行う。
【００３７】
前記省電力制御において、前記ＣＰＵ２１は、前記制御スイッチ７１の制御によって前記ＭＭＩ基板１０に対する電力供給のＯＮ／ＯＦＦを切り替える。同様に、前記ＣＰＵ２１は、前記制御スイッチ７２及び前記制御スイッチ７３各々の制御により、前記スキャナ制御基板３１及び前記プリンタ制御基板４１各々に対する電力供給のＯＮ／ＯＦＦを切り替える。但し、前記ＭＭＩ基板１０においては、前記キーマトリクス１１、前記パネルディスプレイ１２及び前記ＭＭＩ制御回路１４に対する電力供給ラインと、前記アンプ１５及びミュート制御用の前記切替スイッチ１６に対する電力供給ラインとが、独立して設けられている。
【００３８】
なお、前記制御スイッチ７１〜７３は、例えば、前記メイン基板２０に実装される。或いは、前記制御スイッチ７１〜７３の各々が、前記ＭＭＩ基板１０、前記スキャナ制御基板３１及び前記プリンタ制御基板４１の各々に実装されることも考えられる。
【００３９】
例えば、前記ＣＰＵ２１は、前記キーマトリクス１１及び前記節電キー１８に対する操作が、第１の待ち時間（ｔ１）以上継続して検知されない場合に、前記ＭＭＩ基板１０における前記キーマトリクス１１，前記パネルディスプレイ１２及び前記ＭＭＩ制御回路１４に対する電力供給を停止する。その際、前記アンプ１５及び前記切替スイッチ１６に対する電力供給は維持される。即ち、前記ＣＰＵ２１及び前記制御スイッチ７１は、前記ＭＭＩ基板１０について、実装された部品群（前記第１部品群）の全てに対して電力が供給される第１通電状態と、前記アンプ１５及び前記切替スイッチ１６に対して電力が供給され、その他の部品に対して電力が供給されない第２通電状態とに切り替える。
【００４０】
前記ＭＭＩ基板１０が前記第２通電状態である場合でも、前記メイン基板２０及び前記アンプ１５は電力が供給されている。そのため、画像処理装置１は、前記ＭＭＩ基板１０が前記第２通電状態である場合でも、外部装置からのアクセスに応じて、データ処理及び音響出力処理を行うことが可能である。例えば、ファクシミリの着信を通知する音響信号、ファクシミリデータの受信エラーを通知する音響信号、外部の計算機からの要求に応じたプリント処理のエラーを通知する音響信号等の前記第２音響信号に基づく音響を出力することが可能である。
【００４１】
一方、前記ＣＰＵ２１は、前記ＭＭＩ基板１０における前記キーマトリクス１１，前記パネルディスプレイ１２及び前記ＭＭＩ制御回路１４に対する電力供給が停止されているときに、前記節電キー１８に対する操作を検知すると、前記キーマトリクス１１，前記パネルディスプレイ１２及び前記ＭＭＩ制御回路１４に対する電力供給を復帰させる。これにより、前記キーマトリクス１１及び前記パネルディスプレイ１２が、使用可能な状態となる。
【００４２】
また、前記ＣＰＵ２１は、前記スキャナユニット３０が動作しない時間が、第２の待ち時間（ｔ２）以上継続した場合に、前記スキャナ制御基板３１に対する電力供給を停止する。同様に、前記ＣＰＵ２１は、前記プリンタユニット４０が動作しない時間が、第３の待ち時間（ｔ３）以上継続した場合に、前記プリンタ制御基板４１に対する電力供給を停止する。前記ＭＭＩ基板１０、前記スキャナ制御基板３１及び前記プリンタ制御基板４１の各々に対して予め設定された前記第１の待ち時間（ｔ１）、前記第２の待ち時間（ｔ２）及び前記第３の待ち時間（ｔ３）は、前記ＳＲＡＭ２３に予め記憶される。
【００４３】
一方、前記ＣＰＵ２１は、前記キーマトリクス１１に対する操作又は外部装置からのアクセスに応じて、原稿の画像のスキャン処理又はプリント処理が必要となったときに、その処理を実行するために必要な前記スキャナ制御基板３１又は前記プリンタ制御基板４１に対する電力供給を復帰させる。このように、画像処理装置１は、機能に応じて区分された複数の電子基板１０、３１、４１各々に対する電力供給を、状況に応じて個別に停止することによって省電力制御を行う。
【００４４】
また、画像処理装置１は、商用電源に接続されている状況下で、常に電力の供給を続ける前記第１電源７０と、前記ＣＰＵ２１の制御により、電力の出力を停止可能な第２電源８０と備えている。前記メイン基板２０、前記ＮＣＵ基板５０及び前記ＬＡＮインターフェース基板６０は、前記第１電源７０から電力が供給される。一方、前記スキャナ制御基板３１及び前記プリンタ制御基板４１は、前記第２電源８０から電力が供給される。なお、図１において、矢印付きの波線は、電力供給ラインを表す。
【００４５】
また、前記ＭＭＩ基板１０に実装された部品には、前記第１電源７０から電力が供給される部品と、前記第２電源８０から電力が供給される部品とが混在する。即ち、前記キーマトリクス１１、前記パネルディスプレイ１２及び前記ＭＭＩ制御回路１４は、前記第２電源８０から電力が供給される。一方、音響出力に関する前記アンプ１５及び前記切替スイッチ１６は、前記第２電源８０から電力が供給される。
【００４６】
そして、前記ＣＰＵ２１は、前記第２電源８０の出力が不要である場合に、前記第２電源８０の電力の出力を停止する。これにより、前記第２電源８０の待機中の消費電力を抑制できる。前記第２電源８０の出力が不要である場合とは、前記制御スイッチ７１〜７３により、前記第２電源８０から前記ＭＭＩ基板１０、前記スキャナ制御基板３１及び前記プリンタ制御基板４１への電力供給が停止されている場合である。また、前記ＣＰＵ２１は、前記節電キー１８が予め定められた時間以上継続して押し続けられた場合にも、前記第２電源８０の電力の出力を停止する。これにより、オペレータは、手動操作により、画像処理装置を最も消費電力の少ない状態へ移行させることができる。
【００４７】
（第２実施形態）次に、図２に示されるブロック図を参照しつつ、本発明の第２施形態に係る画像処理装置２について説明する。画像処理装置２は、前述した第１実施形態に係る画像処理装置１と比較して、制御スイッチ８１が追加されている点のみが異なる。図２において、図１に示される構成要素と同じ構成要素は、同じ参照符号が付されている。以下、画像処理装置２における前記画像処理装置１と異なる点についてのみ説明する。
【００４８】
画像処理装置２において、前記制御スイッチ８１は、前記第１電源７０から前記アンプ１５及び前記切替スイッチ１６への電源供給ラインの途中に配置されている。そして、前記ＣＰＵ２１は、前記制御スイッチ８１を制御することにより、前記アンプ１５及び前記切替スイッチ１６に対する電力供給のＯＮ／ＯＦＦを切り替える。即ち、前記ＣＰＵ２１、前記制御スイッチ７１及び前記制御スイッチ８１は、前記ＭＭＩ基板１０に関する前記第１通電状態及び前記第２通電状態と、それ以外の第３の通電状態とを切り替える。この第３の通電状態は、前記メイン基板２０に実装された全ての部品群（前記第２部品群）に対して電力が供給され、前記ＭＭＩ基板１０に実装された全ての部品群（前記第１部品群）に対して電力が供給されない状態である。
【００４９】
例えば、前記ＣＰＵ２１は、前記第２音響信号を出力しない時間が、第４の待ち時間（ｔ４）以上継続した場合に、前記アンプ１５及び前記切替スイッチ１６に対する電力供給を停止する。一方、前記ＣＰＵ２１は、前記第２音響信号を出力する必要が生じた場合に、前記アンプ１５及び前記切替スイッチ１６に対する電力供給を復帰させる。これにより、前記アンプ１５及び前記切替スイッチ１６の待機中の消費電力が低減され、省電力効果がより高まる。
【００５０】
以上に示した各実施形態では、前記スピーカ１７及び前記切替スイッチ１６が、前記ＭＭＩ基板１０に実装されている。しかしながら、前記切替スイッチ１６が存在しない構成及び前記スピーカ１７が前記ＭＭＩ基板１０以外の部分に設けられた構成も考えられる。
【００５１】
また、前記ＭＭＩ基板１０における前記アンプ１５に対して音響信号を出力する前記第２電子基板が、複数存在する場合も考えられる。例えば、前記プリンタ制御基板４１が、音響信号出力素子を備え、前記メイン基板２０及び前記プリンタ制御基板４１が、前記第２電子基板として機能することも考えられる。この場合、前記プリンタ制御基板４１に設けられた前記音響信号出力素子は、エラーメッセージの音響信号を前記アンプ１５へ出力する。
【産業上の利用可能性】
【００５２】
本発明は、画像処理装置に利用可能である。
【符号の説明】
【００５３】
１，２  画像処理装置
１０  ＭＭＩ基板
１１  キーマトリクス
１２  パネルディスプレイ
１３  発光ダイオード
１４  ＭＭＩ制御回路
１５  アンプ
１６  切替スイッチ
１７  スピーカ
１８  節電キー
２０  メイン基板
２１  ＣＰＵ
２２  ＲＯＭ
２３  ＳＲＡＭ
２４  メモリコントローラ
２５  ＳＤＲＡＭ
２６  コーデック
２７  音響信号生成素子
２８  モデム
２９  切替スイッチ
３０  スキャナユニット
３１  スキャナ制御基板
３２  ラインセンサ
３３  原稿センサ
３４  原稿カバーセンサ
４０  プリンタユニット
４１  プリンタ制御基板
４２  搬送路カバーセンサ
４３  カセットセンサ
４４  ジャムセンサ
５０  ＮＣＵ基板
６０  ＬＡＮインターフェース基板
７０  第１電源
７１〜７３，８１  制御スイッチ
８０  第２電源
１００  バス
【図１】
2011097315.tif 000003
【図２】
2011097315.tif 000004